(57)【要約】【課題】側面発光及び音声再生の機能を有するステレオ構造を備えた側面発光デスクライトを提供する。【解決手段】ステレオ構造を備えた側面発光デスクライトは、台座１０と、接続ベースと、接続ベース上に取り付けられたスピーカー部材５０と、ランプホルダ４０と、支持部材３０と、ランプホルダ４０上に取り付けられた位置決めキャップ８０と、位置決めキャップ８０とランプホルダ４０との間に介在するランプカバー７０と、ランプホルダ４０上に取り付けられた帯状ＬＥＤランプ６０とを備える。ランプカバー７０は、帯状ＬＥＤランプ６０の外側に取り囲むように設けられる。支持部材３０は、接続ベースを介して台座１０に取り付けられる。接続ベースは、底板２１と、底板２１上に取り付けられたベース２２とを有し、底板２１の円周半径は上から下方向にかけて漸増し、底板２１のベース２２近くの一端の外円周表面には錐形状の発散面２１１が形成される。【選択図】図２
0003223680.tif 000002
【実用新案登録請求の範囲】
【請求項１】
ステレオ構造を備えた側面発光デスクライトであって、
台座と、接続ベースと、前記接続ベース上に取り付けられたスピーカー部材と、ランプホルダと、支持部材と、前記ランプホルダ上に取り付けられた位置決めキャップと、前記位置決めキャップと前記ランプホルダとの間に介在するランプカバーと、前記ランプホルダ上に取り付けられた帯状ＬＥＤランプと、を備え、
前記ランプカバーは、前記帯状ＬＥＤランプの外側に取り囲むように設けられ、前記支持部材は、前記接続ベースを介して前記台座に取り付けられ、
前記接続ベースは、底板と、前記底板上に取り付けられたベースと、を有し、前記底板の円周半径は上から下方向にかけて漸増し、前記底板のベース近くの一端の外円周表面には錐形状の発散面が形成され、
前記ベースは、内スリーブと、前記内スリーブの周辺に設けられた外スリーブと、前記内スリーブと前記外スリーブとを接続する接続部と、前記内スリーブの内側面に接続された組立部と、を有し、前記接続部は、ラッパ状に配置され、前記組立部は、組立ブロックと、前記組立ブロック上に接続されて放射線状に配列された組立長尺状体とを有し、
前記組立長尺状体は、前記組立ブロックから遠い一端が、前記内スリーブの内側面に接続され、前記スピーカー部材は、前記内スリーブ上に取り付けられ、前記スピーカー部材の発声方向は前記底板の前記発散面を向いていることを特徴とするステレオ構造を備えた側面発光デスクライト。
【請求項２】
前記ランプカバーは、円盤状を呈し、中央部に位置規制孔を有し、
前記ランプホルダは、第１のベースボディと、前記第１のベースボディの底部に接続された第２のベースボディと、を有し、
前記第１のベースボディの円周半径は、前記第２のベースボディの円周半径より小さく、
前記帯状ＬＥＤランプは、前記ランプホルダの前記第１のベースボディに取り付けられ、前記帯状ＬＥＤランプが取り付けられた前記第１のベースボディは、前記ランプカバーの前記位置規制孔に挿通され、前記位置決めキャップは、前記ランプカバーの他側から前記第１のベースボディと組み合わされることを特徴とする請求項１に記載のステレオ構造を備えた側面発光デスクライト。
【請求項３】
前記第２のベースボディ上には、凹溝が形成され、前記凹溝の溝底壁には、前記第２のベースボディの上端面に上向きに貫通した複数の第３の装着孔が形成され、前記第１のベースボディには、上向きに貫通した複数の第４の装着孔が形成され、
前記側面発光デスクライトは、複数の固定部材を有し、前記固定部材は、前記第３の装着孔及び前記第４の装着孔に挿通され、前記ランプカバー及び前記位置決めキャップが前記ランプホルダ上にそれぞれ固定されることを特徴とする請求項２に記載のステレオ構造を備えた側面発光デスクライト。
【請求項４】
前記支持部材は、管状を呈し、
前記支持部材の両端の開口には、雌ねじが設けられていることを特徴とする請求項１に記載のステレオ構造を備えた側面発光デスクライト。
【請求項５】
前記内スリーブの上端には、ステップ状溝が形成され、
前記スピーカー部材の縁部は、前記ステップ状溝内に係合されることを特徴とする請求項１に記載のステレオ構造を備えた側面発光デスクライト。
【請求項６】
前記底板は、前記ベースの一端に近い端面に第１の装着孔が形成され、
前記組立ブロックには、上下に貫通した第２の装着孔が形成されることを特徴とする請求項１に記載のステレオ構造を備えた側面発光デスクライト。
【請求項７】
前記接続ベースの数は１組であり、
前記ランプホルダは、前記支持部材上に直接螺合されることを特徴とする請求項１に記載のステレオ構造を備えた側面発光デスクライト。
【請求項８】
前記接続ベースの数は２組であり、前記接続ベースは、前記支持部材上にそれぞれ螺合され、
前記ランプホルダは、前記接続ベースを介して前記支持部材上に間接的に取り付けられ、前記接続ベースの前記ベースは、前記支持部材上に螺合され、前記ランプホルダは、前記底板上に螺合されることを特徴とする請求項１に記載のステレオ構造を備えた側面発光デスクライト。
【請求項９】
前記外スリーブの長さは、前記内スリーブより大きく、
前記内スリーブは、前記外スリーブの内側に設けられ、
前記外スリーブの上端外側面には、雄ねじが設けられていることを特徴とする請求項２に記載のステレオ構造を備えた側面発光デスクライト。
【請求項１０】
前記ベースの前記内スリーブは、前記外スリーブより長い上、前記外スリーブの中央部から延びることを特徴とする請求項２に記載のステレオ構造を備えた側面発光デスクライト。
【考案の詳細な説明】
【技術分野】
【０００１】
本考案は、照明装置構造に関するものであり、さらに詳しくは、ステレオ構造を備えた側面発光デスクライトに関するものである。
【背景技術】
【０００２】
人々の生活水準の向上に伴い、デスクライトの応用が広がっている。デスクライトは照明ライトであり、室内の装飾及び照明に必要不可欠なランプであるため、人々の日常生活に広く利用されている。しかし、従来のデスクライトは、構造が固定され、音声再生機能を備えずに照明機能しか備えていなかったため使い勝手が悪く、ユーザのニーズを満たすことはできなかった。そのため、従来のデスクライトには改良が求められていた。
【考案の概要】
【考案が解決しようとする課題】
【０００３】
従って、本考案の課題は、側面発光及び音声再生の機能を有するステレオ構造を備えた側面発光デスクライトを提供することにある。
【課題を解決するための手段】
【０００４】
そこで、本考案者は、本考案の前記課題を解決するため、鋭意検討を重ねた結果、後述のように、接続ベース内に取り付けられたスピーカー部材と、ランプホルダと、支持部材と、ランプホルダ上に取り付けられた位置決めギャップと、ランプホルダ上に取り付けられた帯状ＬＥＤランプを備えることにより、前記課題を解決できることに着目し、本考案に想到するに至った。
すなわち、上記課題を解決するために、本考案の第１の形態によれば、ステレオ構造を備えた側面発光デスクライトであって、台座と、接続ベースと、前記接続ベース内に取り付けられたスピーカー部材と、ランプホルダと、支持部材と、前記ランプホルダ上に取り付けられた位置決めキャップと、前記位置決めキャップと前記ランプホルダとの間に介在するランプカバーと、前記ランプホルダ上に取り付けられた帯状ＬＥＤランプと、を備え、前記ランプカバーは、前記帯状ＬＥＤランプの外側に取り囲むように設けられ、前記支持部材は、前記接続ベースを介して前記台座に取り付けられ、前記接続ベースは、底板と、前記底板上に取り付けられたベースと、を有し、前記底板の円周半径は上方向から下方向にかけて漸増し、前記底板のベース近くの一端の外円周表面には錐形状の発散面が形成され、前記ベースは、内スリーブと、前記内スリーブの周辺に設けられた外スリーブと、前記内スリーブと前記外スリーブとを接続する接続部と、前記内スリーブの内側面に接続された組立部と、を有し、前記接続部は、ラッパ状に配置され、前記組立部は、組立ブロックと、前記組立ブロック上に接続されて放射線状に配列された組立長尺状体と、を有し、前記組立長尺状体は、前記組立ブロックから遠い一端が、前記内スリーブの内側面に接続され、前記スピーカー部材は、前記内スリーブ上に取り付けられ、前記スピーカー部材の発声方向は前記底板の前記発散面を向いていることを特徴とするステレオ構造を備えた側面発光デスクライトを提供する。
【０００５】
かくして、本考案の要旨は、次の（１）〜（１０）に記載の通りのものである。
（１）ステレオ構造を備えた側面発光デスクライトであって、
台座と、接続ベースと、前記接続ベース上に取り付けられたスピーカー部材と、ランプホルダと、支持部材と、前記ランプホルダ上に取り付けられた位置決めキャップと、前記位置決めキャップと前記ランプホルダとの間に介在するランプカバーと、前記ランプホルダ上に取り付けられた帯状ＬＥＤランプと、を備え、
前記ランプカバーは、前記帯状ＬＥＤランプの外側に取り囲むように設けられ、前記支持部材は、前記接続ベースを介して前記台座に取り付けられ、
前記接続ベースは、底板と、前記底板上に取り付けられたベースと、を有し、前記底板の円周半径は上から下方向にかけて漸増し、前記底板のベース近くの一端の外円周表面には錐形状の発散面が形成され、
前記ベースは、内スリーブと、前記内スリーブの周辺に設けられた外スリーブと、前記内スリーブと前記外スリーブとを接続する接続部と、前記内スリーブの内側面に接続された組立部と、を有し、前記接続部は、ラッパ状に配置され、前記組立部は、組立ブロックと、前記組立ブロック上に接続されて放射線状に配列された組立長尺状体と、を有し、
前記組立長尺状体は、前記組立ブロックから遠い一端が、前記内スリーブの内側面に接続され、前記スピーカー部材は、前記内スリーブ上に取り付けられ、前記スピーカー部材の発声方向は前記底板の前記発散面を向いていることを特徴とするステレオ構造を備えた側面発光デスクライト。
【０００６】
（２）前記ランプカバーは、円盤状を呈し、中央部に位置規制孔を有し、
前記ランプホルダは、第１のベースボディと、前記第１のベースボディの底部に接続された第２のベースボディと、を有し、
前記第１のベースボディの円周半径は、前記第２のベースボディの円周半径より小さく、
前記帯状ＬＥＤランプは、前記ランプホルダの前記第１のベースボディに取り付けられ、前記帯状ＬＥＤランプが取り付けられた前記第１のベースボディは、前記ランプカバーの前記位置規制孔に挿通され、前記位置決めキャップは、前記ランプカバーの他側から前記第１のベースボディと組み合わされることを特徴とする前記（１）に記載のステレオ構造を備えた側面発光デスクライト。
【０００７】
（３）前記第２のベースボディ上には、凹溝が形成され、前記凹溝の溝底壁には、前記第２のベースボディの上端面に上向きに貫通した複数の第３の装着孔が形成され、前記第１のベースボディには、上向きに貫通した複数の第４の装着孔が形成され、
前記側面発光デスクライトは、複数の固定部材を有し、前記固定部材は、前記第３の装着孔及び前記第４の装着孔に挿通され、前記ランプカバー及び前記位置決めキャップが前記ランプホルダ上にそれぞれ固定されることを特徴とする前記（２）に記載のステレオ構造を備えた側面発光デスクライト。
【０００８】
（４）前記支持部材は、管状を呈し、
前記支持部材の両端の開口には、雌ねじが設けられていることを特徴とする前記（１）に記載のステレオ構造を備えた側面発光デスクライト。
【０００９】
（５）前記内スリーブの上端には、ステップ状溝が形成され、
前記スピーカー部材の縁部は、前記ステップ状溝内に係合されることを特徴とする前記（１）に記載のステレオ構造を備えた側面発光デスクライト。
【００１０】
（６）前記底板は、前記ベースの一端に近い端面に第１の装着孔が形成され、
前記組立ブロックには、上下に貫通した第２の装着孔が形成されることを特徴とする前記（１）に記載のステレオ構造を備えた側面発光デスクライト。
【００１１】
（７）前記接続ベースの数は１組であり、
前記ランプホルダは、前記支持部材上に直接螺合されることを特徴とする前記（１）に記載のステレオ構造を備えた側面発光デスクライト。
【００１２】
（８）前記接続ベースの数は２組であり、前記接続ベースは、前記支持部材上にそれぞれ螺合され、
前記ランプホルダは、前記接続ベースを介して前記支持部材上に間接的に取り付けられ、前記接続ベースの前記ベースは、前記支持部材上に螺合され、前記ランプホルダは、前記底板上に螺合されることを特徴とする前記（１）に記載のステレオ構造を備えた側面発光デスクライト。
【００１３】
（９）前記外スリーブの長さは、前記内スリーブより大きく、
前記内スリーブは、前記外スリーブの内側に設けられ、
前記外スリーブの上端外側面には、雄ねじが設けられていることを特徴とする前記（２）に記載のステレオ構造を備えた側面発光デスクライト。
【００１４】
（１０）前記ベースの前記内スリーブは、前記外スリーブより長い上、前記外スリーブの中央部から延びることを特徴とする前記（２）に記載のステレオ構造を備えた側面発光デスクライト。
【考案の効果】
【００１５】
本考案のステレオ構造を備えた側面発光デスクライトは、接続ベースを介して支持部材が台座に接続され、スピーカー部材が接続ベース上に取り付けられ、接続ベース上には、音声の発散面が設けられ、上述したランプホルダが支持部材上に直接的又は間接的に取り付けられ、側面発光及び音声再生の機能が得られる。
【図面の簡単な説明】
【００１６】
【図１】本考案の第１実施形態に係るステレオ構造を備えた側面発光デスクライトを示す斜視図である。
【図２】本考案の第１実施形態に係るステレオ構造を備えた側面発光デスクライトを示す分解斜視図である。
【図３】本考案の第１実施形態に係るステレオ構造を備えた側面発光デスクライトを示す断面図である。
【図４】本考案の第１実施形態に係る底板を示す斜視図である。
【図５】本考案の第１実施形態に係るランプホルダを示す正面図である。
【図６】本考案の第２実施形態に係るステレオ構造を備えた側面発光デスクライトを示す斜視図である。
【図７】本考案の第２実施形態に係るステレオ構造を備えた側面発光デスクライトを示す断面図である。
【考案を実施するための形態】
【００１７】
以下、図面により、本考案を具体的に説明する。もっとも、本考案は、かかる図面により限定されるものではない。
（第１実施形態）
図１〜図５を参照する。図１〜図５に示すように、本考案の第１実施形態に係るステレオ構造を備えた側面発光デスクライトは、装飾及び照明に用いる。第１実施形態に係るステレオ構造を備えた側面発光デスクライトは、台座１０と、台座１０の上端に取り付けられた接続ベース２０と、接続ベース２０上に取り付けられたスピーカー部材５０と、ランプホルダ４０と、ランプホルダ４０及び接続ベース２０に接続された支持部材３０と、ランプホルダ４０上に取り付けられた位置決めキャップ８０と、位置決めキャップ８０とランプホルダ４０との間に介在するランプカバー７０と、ランプホルダ４０上に取り付けられた帯状ＬＥＤランプ６０と、を備える。上述したランプカバー７０は、帯状ＬＥＤランプ６０の外側に取り囲むように設けられる。第１実施形態の接続ベース２０の数は１組である。
【００１８】
上述した接続ベース２０は、底板２１と、底板２１上に取り付けられたベース２２と、を有する。上述したベース２２は、螺接方式で底板２１に合わせて取り付ける。上述した底板２１は、上方向から下方向にかけて円周半径が漸増し、底板２１のベース２２近くの一端の外円周表面には錐形状の発散面２１１が形成される。上述した底板２１は、ベース２２の一端に近い端面に第１の装着孔２１２が形成されている。
【００１９】
上述したベース２２は、内スリーブ２２１と、内スリーブ２２１の周辺に設けられた外スリーブ２２２と、内スリーブ２２１と外スリーブ２２２とを接続する接続部２２３と、内スリーブ２２１の内側面に接続された組立部２２４と、を有する。上述した接続部２２３は、ラッパ状に配置される。上述した組立部２２４は、組立ブロック２２５と、組立ブロック２２５上に接続されて放射線状に配列された組立長尺状体２２６と、を有する。上述した組立長尺状体２２６は、組立ブロック２２５から遠い一端が、内スリーブ２２１の内側面に接続される。上述した組立ブロック２２５には、上下に貫通した第２の装着孔２２７が形成される。上述した内スリーブ２２１の上端には、ステップ状溝が形成されている。上述したスピーカー部材５０の縁部は、ステップ状溝内に係合され、スピーカー部材５０の発声方向は底板２１の発散面２１１を向いている。第１実施形態において、上述した外スリーブ２２２の長さは、内スリーブ２２１より大きい。内スリーブ２２１は、外スリーブ２２２の内側に設けられる。上述した外スリーブ２２２の上端外側面には、雄ねじが設けられている。
【００２０】
上述した支持部材３０は、管状を呈する。支持部材３０の両端の開口には、雌ねじが設けられている。上述したランプカバー７０は、円盤状を呈し、中央部に位置規制孔７１を有する。上述したランプホルダ４０は、第１のベースボディ４１と、第１のベースボディ４１の底部に接続された第２のベースボディ４２と、を有する。上述した第１のベースボディ４１の円周半径は、第２のベースボディ４２の円周半径より小さい。上述した第２のベースボディ４２の底部には、凹溝が形成されている。上述した凹溝の側溝壁には、雌ねじが設けられている。凹溝の溝底壁には、第２のベースボディ４２の上端面に上向きに貫通した複数の第３の装着孔４２１が形成される。上述した第１のベースボディ４１には、上向きに貫通した複数の第４の装着孔４１１が形成される。
【００２１】
実際に組み立てる際、底板２１の上端をベース２２の内部に入り込ませ、組立部２２４に密着させる。上述した固定部材を第２の装着孔２２７及び第１の装着孔２１２に挿通させ、底板２１とベース２２とをねじ締結させる。スピーカー部材５０は、内スリーブ２２１上に取り付けられ、支持部材３０の両端は、ランプホルダ４０及び接続ベース２０上に螺合される。上述した帯状ＬＥＤランプ６０は、ランプホルダ４０の第１のベースボディ４１に取り付けられ、帯状ＬＥＤランプ６０が取り付けられた第１のベースボディ４１は、ランプカバー７０の位置規制孔７１に挿通される。上述した位置決めキャップ８０は、ランプカバー７０の他側から第１のベースボディ４１と組み合わされる。固定部材は、第３の装着孔及び第４の装着孔に挿通され、ランプカバー７０及び位置決めキャップ８０がランプホルダ４０上にそれぞれ固定される。
【００２２】
（第２実施形態）
図６及び図７を参照する。図６及び図７に示すように、本考案の第２実施形態に係るステレオ構造を備えた側面発光デスクライトは、第１実施形態と同様に、台座１０’と、台座１０’の上端に取り付けられた接続ベース２０’と、接続ベース２０’上に取り付けられたスピーカー部材５０’と、ランプホルダ４０’と、支持部材３０’と、ランプホルダ４０’上に取り付けられた位置決めキャップ８０’と、位置決めキャップ８０’とランプホルダ４０’との間に介在するランプカバー７０’と、ランプホルダ４０’上に取り付けられたランプカバー７０’と、を備える。上述したランプカバー７０’は、帯状ＬＥＤランプ６０’の外側に取り囲むように設けられるが、第２実施形態の接続ベース２０’の数は２組である。上述した２組の接続ベース２０’は、支持部材３０’上にそれぞれ螺合される。上述したランプホルダ４０’は、接続ベース２０’を介して支持部材３０’上に間接的に取り付けられる。具体的には、上述した接続ベース２０’のベース２２’は、支持部材３０’上に螺合される。上述したランプホルダ４０’は、底板２１’上に螺合される。また、第２実施形態のベース２２’の内スリーブ２２１’は、外スリーブ２２２’より長い上、外スリーブ２２２’の中央部から延びている。
【００２３】
上述したことから分かるように、本考案のステレオ構造を備えた側面発光デスクライトは、接続ベース２０を介して支持部材３０が台座１０に接続され、スピーカー部材５０が接続ベース２０上に取り付けられ、接続ベース２０上には、音声の発散面２１１が設けられ、上述したランプホルダ４０が直接的又は間接的に支持部材３０上に取り付けられる。本考案は、前記の通りの構成からなるものであり、側面発光及び音声再生の機能が得られる。
【符号の説明】
【００２４】
１０  台座
２０  接続ベース
２１  底板
２２  ベース
３０  支持部材
４０  ランプホルダ
４１  第１のベースボディ
４２  第２のベースボディ
５０  スピーカー部材
６０  帯状ＬＥＤランプ
７０  ランプカバー
７１  位置規制孔
８０  位置決めキャップ
２１１  発散面
２１２  第１の装着孔
２２１  内スリーブ
２２２  外スリーブ
２２３  接続部
２２４  組立部
２２５  組立ブロック
２２６  組立長尺状体
２２７  第２の装着孔
４１１  第４の装着孔
４２１  第３の装着孔
１０’  台座
２０’  接続ベース
２１’  底板
２２’  ベース
３０’  支持部材
４０’  ランプホルダ
５０’  スピーカー部材
６０’  帯状ＬＥＤランプ
７０’  ランプカバー
８０’  位置決めキャップ
２２１’  内スリーブ
２２２’  外スリーブ
【図１】
0003223680.tif 000003
【図２】
0003223680.tif 000004
【図３】
0003223680.tif 000005
【図４】
0003223680.tif 000006
【図５】
0003223680.tif 000007
【図６】
0003223680.tif 000008
【図７】
0003223680.tif 000009